Podtech/llm-jp-corpus-v4-ja_patent huggingface dataset:
(57)【要約】【課題】誕生石カラーの透明光反射部材を所望のデザインにビーズと線部材で形成した軽量安価な構造として花嫁の希望や個性を引き出し易くすると共に、スポットライトで輝く演出効果の高い高級感のあるウエデイングブーケを提供することを目的とするものである。【解決手段】本発明は、手等で保持する基部と、１月から１２月までの誕生石に応じたカラーの透明光反射部材と、該透明光反射部材を所望のデザインに形成する所定形状のビーズおよび線部材とを備えたことを特徴とする。【選択図】      図１
2004338351.tif 000002
【特許請求の範囲】
【請求項１】
手等で保持する基部と、１月から１２月までの誕生石に応じたカラーの透明光反射部材と、該透明光反射部材を所望のデザインに形成する所定形状のビーズおよび線部材とを備えたことを特徴とする誕生石カラーの透明光反射部材で構成されるウエデイングブーケ。
【請求項２】
前記デザインを誕生石や宝石言葉から選ぶことができることを特徴とする請求項１に記載の誕生石カラーの透明光反射部材で構成されるウエデイングブーケ。
【発明の詳細な説明】
【０００１】
【産業上の利用分野】
本発明はウエデイングブーケに関し、特に誕生石カラーの透明光反射部材を用いて構成され、花嫁の希望や個性の引き出しを容易にすると共に、スポットライトに輝く演出効果の高い高級感のあるものとし、且つビーズと線部材を用いて透明光反射部材に軽量感を与え、ウエデイングブーケを安価に提供できるものである。
【０００２】
【従来の技術】
一般にウエデイングブーケは、生花を用いるものが多いが、花には季節があり、花の種類も多く、結婚の時期や花の仕入れ等を考慮して花嫁の希望や個性を引き出し、ドレスに似合うイメージを創りあげるまでにいろいろな手順を要し煩雑である。また、生花に代わるものとして造花やブリサードフラワーがあるが、造花は材料や形状等が多様であり、その選択基準が複雑である。またブリサードフラワーに関しては色落ちや破損の問題がある。
【０００３】
更にまたウエデイング、ブーケを模造宝石やそれに類したものを用いて作ることも考えられるが、模造宝石そのものに重圧・重量感があるため軽量感のあるデザイン性や保存性に富んだ高級感のある安価なウエデイングブーケが待望されていた。
【０００４】
【発明が解決しようとする課題】
そこで本発明は、誕生石カラーの透明光反射部材を所望のデザインにビーズと線部材で形成した軽量安価な構造とし、花嫁の希望や個性を引き出し易くするとと共に、スポットライトで輝く演出効果の高い高級感のあるウエデイングブーケを提供することを目的とするものである。
【０００５】
【課題を解決するための手段】
すなわち、本発明に係る誕生石カラーの透明光反射部材で構成されるウエデイングブーケは、手等で保持する基部と、１月から１２月までの誕生石に応じたカラーの透明光反射部材と、該透明光反射部材を所望のデザインに形成する所定形状のビーズおよび線部材とを備えた構成を特徴とする。
【０００６】
【作用】
従って、本発明に係る誕生石カラーの透明光反射部材で構成されるウエデイングブーケは、スポットライトで輝く演出効果の高い高級感のある誕生石カラーの透明光反射部材を用いるので、花嫁のドレスに似合う色のイメージを容易に創りあげることができると同時に、花嫁の希望や個性の引き出したデザインの選択を容易にすることができる。更にビーズと線部材で透明光反射部材を所望のデザインに形成したので、誕生石カラーの透明光反射部材で構成されるウエデイングブーケを軽量安価な構造とすることができ、高級感のある誕生石カラーの透明光反射部材を用いた効果と相俟ってウエデイングブーケの機能を相乗的に発揮することができる。
【０００７】
【発明の実施の形態】
以下に本発明の実施の形態を図面に基づいて説明する。
図１は本発明に係る誕生石カラーの透明光反射部材で構成されるウエデイングブーケを示す。このウエデイングブーケは最下部に一つの大きめのビーズ１を設け、その上部に手で持つ部分となる棒状の基部２をリボンや布を巻いて装飾する。そして最上部には１月から１２月までの誕生石に応じたカラーの透明光反射部材であるクリスタル３と、図２で示すダイヤカットやハート等の形状のビーズ４と、図示しないが誕生石カラーの透明なテグス糸とで所望の花をデザインしている。
【０００８】
図３は１年の各誕生月に応じた宝石名、そのカラー、宝石言葉そして新婦に与えられるパワーを示す表である。例えば、３月生まれの新婦の場合を例にとって説明すると、３月の誕生石は「幸せな結婚」のパワーを持つ水色のアクアマリンである。この色を基調として好きな花のデザインを選ぶことにより、ブーケ自体に意味を持たせ、新婦の気持ちを幸せで豊かなものとし、更なるパワーを新婦に与えることができ、ジンクスや縁起が尊重される結婚式には重要である。
【０００９】
【発明の効果】
以上の説明から明らかな通り、本発明の構成によれば、１月から１２月までの誕生石に応じたカラーの透明光反射部材を、所望のデザインにビーズおよび線部材を用いて形成するので、軽量安価な構造として花嫁の希望や個性を容易に引き出すことができると共に、スポットライトで輝く演出効果の高い高級感のあるウエデイングブーケを提供することができる。
【図面の簡単な説明】
【図１】本発明に係るウエデイングブーケを示す斜視図である。
【図２】数種類のビーズを示す図である。
【図３】本発明に係るウエデイングブーケを選ぶための１年の各誕生月に応じた宝石名、そのカラー、宝石言葉そして新婦に与えられるパワーを示す表である。
【符号の説明】
１  ビーズ
２  基部
３  クリスタル
４  ビーズ
【図１】
2004338351.tif 000003
【図２】
2004338351.tif 000004
【図３】
2004338351.tif 000005
(57)【要約】【目  的】マグネットメモ押えを取外すときの磁力を軽減して取り扱い易くする。【構  成】ビニール管（１）の中間を一部分を首（４）として残して切断する。首（４）の下部胴体に当たるリング（２）には磁石（３）をはめ込み、頭部のリングで摘み（６）を形成する。首（４）の下のリング（２）縁に磁力調節の突起（７）を形成する。【選択図】      図１
2004338356.tif 000002
【特許請求の範囲】
【請求項１】
磁石（３）の一端に弾力性の首（４）を設け、その頭に摘み（６）を形成したマグネットメモ押え。
【発明の詳細な説明】
【０００１】
【産業上の利用分野】
この発明はマグネットメモ押えに関するものである。
【０００２】
【従来の技術】
従来磁石を利用したメモ押えは、磁力が強いと取外しが困難なため強弱いろいろ取り揃えて、目的や用途により使い分けていた。
【０００３】
【発明が解決しょうとする課題】
強い磁石は吸着力が強く、メモなどを多量に押える利便さがある反面、吸着面から取外しにくいという欠点があった。
従って、強弱いろいろ取り揃えて目的や用途により使い分けなければならなかった。
また、特に幼児や力の弱い人達には、強い磁石は取扱いが不便だった。
本発明はこれらの欠点や不便を取り除くためになされたものである。
【０００４】
【課題を解決するための手段】
磁石（３）の一端に弾力性の首（４）を設け、その頭に摘み（６）をつけたマグネットメモ押え。
【０００５】
【作  用】
ビニール管（１）の中間部を一部分を首（４）として残して切断する。首（４）で連結した下部胴体に当たるリング（２）に磁石（３）をはめ込み、磁石（３）の一端に首（４）がくるように形成する。一方の上側の頭部に当たるリングは摘み（６）を形成する。摘み（６）と下部の胴体に当たるリング（２）は弾力性の首（４）によつて連結された構成になっている。
したがって、摘み（６）を持ち上げると磁石（３）の一端を首（４）が引っぱり、やがて剥がされて首（４）はわん曲する。一端が剥がれた磁石（３）は、端から徐々に磁力が弱まりやがて全体が剥がれリング（２）は弾力によって元の場所に戻される。このときの摘み（６）磁力は、これまでの全体を一気に剥がす磁力に比べて軽減され、取外しが容易になる。
なお、首（４）の下に形成されたリング（２）縁の突起（７）は、スティール板（８）との吸着面と磁石（３）の間に段差をつくりだし、磁力の調節作用をして取外しを容易にする。その他の方法として磁石（３）の一端を部分的に底上げする方法や、首から磁石の端までの距離を引離す方法によっても磁力の調節は可能である。
【実施例】
【０００６】
【実施例】
実施例１
図１に基づいて実施例１を説明する。
実施例１は本発明の斜視図である。
ビニール管（１）の中間部を一部分を首（４）として残して切断する。首（４）の下部の胴体に当たるリング（２）に磁石（３）をはめ込む。頭部に当たるリングは支持板（５）をはめ込み摘み（６）を形成する。首（４）の下のリング（２）縁に突起（７）を形成する。
【０００７】
実施例２
図２に基づいて実施例２を説明する。
実施例２は本発明のＡ−Ａの使用状態を示す断面図である。
摘み（６）を持ち上げると、弾力性の首（４）は磁石（３）の一端を引っぱりスティール板（８）から剥してわん曲し、やがて全体が剥がれる。全体が剥がれ終わると胴体に当たるリング（２）は、弾力によって元の位置に戻される。
首の下のリング（２）縁に突起（７）をつくることにより、磁石（３）の一端に磁石（３）とスティール板（８）の段差ができ、磁力を調節することができる。
【００８】
【発明の効果】
本発明は、以上のような構造と作用によりつぎの効果がある。
今まで不便であった磁力の強い磁石でも、スティール面から取外しが容易にできるので、手軽に利用が可能となり用途が拡がって、従来のような何種類もの磁石を揃えたり、目的と用途により使い分けをするような不便さを解消できる。
また、幼児や力の弱い人達でも強力な磁石の取扱が容易になる。
構造も簡単でコスト面でも経済的である。
【図面の簡単な説明】
【図１】本発明の斜視図である。
【図２】図１Ａ−Ａ線の使用状態を示す断面図である。
【符号の説明】
１は  ビニール管
２は  リング
３は  磁石
４は  首
５は  支持板
６は  摘み
７は  突起
８は  スティール板
【図１】
2004338356.tif 000003
【図２】
2004338356.tif 000004
(57)【要約】【課題】印字などの加工作業における用紙移送中にミシン目が破断することのない連続用紙を提供する。【解決手段】連続用紙１は、基材５とその裏面側に設けた粘着剤６を被覆する剥離紙７を備えるとともに、単位用紙３を区画形成する折り兼切り用のミシン目２を備え、このミシン目２を、山折り部ではタイを１．５〜２．０ｍｍ、カットを２．５〜３．０ｍｍに設定し、谷折り部ではタイを２．５〜３．０ｍｍ、カットを１．５〜２．０ｍｍに設定してなるものである。【選択図】        図２
2004338332.tif 000002
【特許請求の範囲】
【請求項１】
基材とその裏面側に設けた粘着剤を被覆する剥離紙を備えるとともに、折り兼切り用のミシン目を設けた連続用紙において、前記ミシン目を、山折り部ではタイを１．５〜２．０ｍｍ、カットを２．５〜３．０ｍｍに設定し、谷折り部ではタイを２．５〜３．０ｍｍ、カットを１．５〜２．０ｍｍに設定してなることを特徴とするミシン目を有する連続用紙。
【請求項２】
基材とその裏面側に設けた粘着剤を被覆する剥離紙を備えるとともに、折り兼切り用のミシン目を設けた連続用紙において、前記剥離紙のＪＩＳ  Ｐ８１１６による引き裂き強度を、縦横ともに２００ｍＮ〜２４０ｍＮに設定してなることを特徴とするミシン目を有する連続用紙。
【発明の詳細な説明】
【０００１】
【発明の属する技術分野】
本発明は、連続用紙に関し、特に、基材とその裏面側に設けた粘着剤を被覆する剥離紙を備えるとともに、折り兼切り用のミシン目を設けた連続用紙に関する。
【０００２】
【従来の技術】
従来のこの種連続用紙にあっては、一般に、折り兼切り用のミシン目を、山折り部ではタイを１．０ｍｍ、カットを３．０ｍｍに設定し、谷折り部ではタイを２．５ｍｍ、カットを２．５ｍｍに設定しており、また、剥離紙のＪＩＳ  Ｐ８１１６による引き裂き強度を、縦横ともに１４５ｍＮ〜１８０ｍＮに設定している。
【０００３】
【発明が解決しようとする課題】
ところがこの従来の連続用紙においては、印字などの加工作業における用紙移送中にミシン目が破断してしまうという不都合があった。
【０００４】
本発明は、このような従来の不都合を解消して、印字などの加工作業における用紙移送中にミシン目が破断することのない連続用紙を提供することを目的とする。
【０００５】
【課題を解決するための手段】
この目的を達成するために、本願発明の請求項１に記載したミシン目を有する連続用紙は、基材とその裏面側に設けた粘着剤を被覆する剥離紙を備えるとともに、折り兼切り用のミシン目を設けた連続用紙において、前記ミシン目を、山折り部ではタイを１．５〜２．０ｍｍ、カットを２．５〜３．０ｍｍに設定し、谷折り部ではタイを２．５〜３．０ｍｍ、カットを１．５〜２．０ｍｍに設定してなることを特徴とする。
【０００６】
また、同じく上記目的を達成するために、本願発明の請求項２に記載したミシン目を有する連続用紙は、基材とその裏面側に設けた粘着剤を被覆する剥離紙を備えるとともに、折り兼切り用のミシン目を設けた連続用紙において、前記剥離紙のＪＩＳ  Ｐ８１１６による引き裂き強度を、縦横ともに２００ｍＮ〜２４０ｍＮに設定してなることを特徴とする。
【０００７】
【発明の実施の形態】
以下、本発明の好適な実施の形態を添付図面に基づいて詳細に説明する。ここにおいて、図１は連続用紙の一部を示す概略的な平面図、図２は同じく概略的な断面図である。
【０００８】
図１及び図２に示すように、連続用紙１は、折り兼切り用のミシン目２を境に多数の単位用紙である配送伝票３を連接してなり、幅方向両側には多数のマージナル孔４を等間隔に設けている。図２で理解できるように、前記連続用紙１は、基材５の裏面に粘着剤６を塗布するとともに、この粘着剤６を剥離紙７で被覆してなる。
【０００９】
図１に示すように、基材５の表面には、配送伝票３として必要な各種情報を追って印字あるいは手書き記入するための配送情報記入欄８を印刷して設けている。この配送情報記入欄８に記入する各種情報は、届け先や依頼者の住所、氏名、電話番号と、伝票番号、受付年月日、品名、運賃等である。また、配送伝票３の右下の余白部分には、取り扱い会社の住所、名称、電話番号からなる取扱会社表示９を印刷してある。
【００１０】
図では明らかでないが、ミシン目２は、山折り部ではタイを２．０ｍｍ、カットを３．０ｍｍに設定し、谷折り部ではタイを３．０ｍｍ、カットを２．０ｍｍに設定している。連続用紙１は、前記ミシン目２でジグザグ状に折り畳まれるので、前記山折り部と前記谷折り部は交互に位置することになる。
【００１１】
このようにミシン目２を構成すると、従来と同一条件の基材５及び剥離紙７を使用しても、ミシン目２が加工作業のための移送中に破断しないことを実験的に確認した。また、ミシン目２を、山折り部ではタイを１．５〜２．０ｍｍ、カットを２．５〜３．０ｍｍに設定し、谷折り部ではタイを２．５〜３．０ｍｍ、カットを１．５〜２．０ｍｍに設定すれば、従来と同一条件の基材５及び剥離紙７を使用しても、ミシン目２が加工作業のための移送中に破断しないことを実験的に確認した。
【００１２】
一方、ミシン目２の構成が従来と同様に、山折り部ではタイを１．０ｍｍ、カットを３．０ｍｍに設定し、谷折り部ではタイを２．５ｍｍ、カットを２．５ｍｍに設定した場合でも、ＪＩＳ  Ｐ８１１６による引き裂き強度を、縦横ともにが２００〜２４０ｍＮの剥離紙７を使用すれば、ミシン目２が加工作業のための移送中に破断しないことを実験的に確認した。そして、前記引き裂き強度は、縦が２３５ｍＮ、横が２１６ｍＮである場合が最も良好であった。
【００１３】
なお、本発明は、上述した実施形態に限定されるものではなく、例えば、基材５は、２枚の用紙を接着力の弱い、接着後に剥離可能な接着剤を用いて、剥離可能に疑似的に接着した構成でもよい。
【００１４】
【発明の効果】
以上のように、本発明の請求項１及び請求項２に係る連続用紙によれば、印字などの加工作業における用紙移送中に、ミシン目が破断することがないほか、ミシン目での折り作業が円滑に効率よくなされるという効果を奏する。
【図面の簡単な説明】
【図１】連続用紙の一部を示す概略的な平面図。
【図２】同じく概略的な断面図。
【符号の説明】
１      連続用紙
２      ミシン目
３      配送伝票
４      マージナル孔
５      基材
６      粘着剤
７      剥離紙
８      配送情報記入欄
９      取扱会社表示
【図１】
2004338332.tif 000003
【図２】
2004338332.tif 000004
(57)【要約】【課題】絞り用の糸を抜けることなく確実に引っ張ることができるようにした台所用水切り袋を提供する。【解決手段】合成繊維フィラメント糸を材料として筒状に編成され、上端口部２に弾性糸が編み込まれてなる台所用水切り袋であって、上端口部２近傍において周方向に口部絞り用の糸３を少なくとも２コース連続状態で挿入し、水切り袋の内面側で前記挿入された糸３の各コースの同位置において針飛ばし部を設けて摘み部４とした。【選択図】        図２
2004338914.tif 000002
【特許請求の範囲】
【請求項１】
合成繊維フィラメント糸を材料として筒状に編成され、上端口部に弾性糸が編み込まれてなる台所用水切り袋であって、上端口部近傍において周方向に口部絞り用の糸を少なくとも２コース連続状態で挿入し、水切り袋の内面側で前記挿入された糸の各コースの同位置において針飛ばし部を設けて摘み部としたことを特徴とする台所用水切り袋。
【請求項２】
摘み部に摘み片を取り付けたことを特徴とする請求項１記載の台所用水切り袋。
【発明の詳細な説明】
【０００１】
【発明の属する技術分野】
本発明は、台所のコーナーや排水口に設けられた生ごみを受けるごみ入れにセットされて使用される台所用水切り袋に関するものである。
【０００２】
【従来の技術】
従来からこの種台所用水切り袋は種々知られており、その例として特許文献１には、水切り袋の開口部近傍の円周方向に絞り用の糸を少なくとも１コース挿入して、絞り用の糸の一端を摘んで引っ張ることにより開口部を絞るようにした水切り袋が開示されている。
【０００３】
しかしながら、このような水切り袋にあっては、ごみが詰まった水切り袋を捨てるときは絞り用の糸の一端を摘んで引っ張るようにはなっているが、絞り用の糸は水切り袋に挿入されているだけであり、両端の何れも水切り袋に結合されておらず、絞り用の糸の一端を摘んで引っ張ったとき、絞り用の糸が水切り袋から抜けてしまい、開口部を絞ることができないという問題がある。
【０００４】
【特許文献１】
特開２００１−１３０７０３号公報
【０００５】
【発明が解決しようとする課題】
本発明はこのような課題を解決するもので、絞り用の糸を抜けることなく確実に引っ張ることができるようにした台所用水切り袋を提供することを目的とするものである。
【０００６】
【課題を解決するための手段】
この課題を解決するために本発明は、合成繊維フィラメント糸を材料として筒状に編成され、上端口部に弾性糸が編み込まれてなる台所用水切り袋であって、上端口部近傍において周方向に口部絞り用の糸を少なくとも２コース連続状態で挿入し、水切り袋の内面側で前記挿入された糸の各コースの同位置において針飛ばし部を設けて摘み部としたことを要旨とするものである。また本発明は、摘み部に摘み片を取り付けたことを要旨とするものである。
【０００７】
この構成により、水切り袋の上端口部近傍において、周方向に口部絞り用の糸を少なくとも２コース連続状態で挿入してあり、水切り袋の内面側で前記挿入された糸の各コースの同位置において針飛ばし部を設けて摘み部としてあり、この摘み部を台所用水切り袋の内面側で摘んで口部絞り用の糸を引っ張ることにより口部絞り用の糸が抜けることなく台所用水切り袋の上端口部を確実に絞ることができる。
【０００８】
【発明の実施の形態】
以下、本発明の実施の形態について、図面に基づいて説明する。
先ず、図１〜図５に示す第１の実施の形態について説明すると、１は合成繊維フィラメント糸を材料として円形編機により筒状に編成され、上端口部２に弾性糸（図示せず）が編み込まれてなる水切り袋本体部であり、下端は縫製などにより閉じられている。そして、このような水切り袋本体部１の上端口部２近傍において、周方向に口部絞り用の糸３を少なくとも２コース連続状態で挿入してあり、水切り袋本体部１の内面側で前記挿入された糸３の各コースの同位置において針飛ばし部を設けて摘み部４としてある。図面に示す実施の形態では摘み部４は等間隔おきに３箇所形成されているが、少なくとも１箇所あれば良い。
【０００９】
ところで、前記水切り袋本体部１はごみは通さず、水を通すことができる程度に細かいメッシュ状に編まれている。
図３は上記構成の台所用水切り袋を、台所のコーナーに置かれて生ごみを受けるごみ入れにセットした状態を示し、５は平面形状三角形のごみ入れで、このごみ入れ５の上端開口部周縁に前記台所用水切り袋の上端口部２を沿わせ、上端口部２を外側に折り返して台所用水切り袋をセットしている。
【００１０】
図４は上記構成の台所用水切り袋を、台所の排水口に設けられたごみ入れにセットした状態を示し、６は円筒状のごみ入れで、このごみ入れ６の上端開口部周縁に前記台所用水切り袋の上端口部２を沿わせ、上端口部２を外側に折り返して台所用水切り袋をセットしている。
【００１１】
この台所用水切り袋に入れられたごみを水切り袋ごと捨てる場合は、前記１箇所の摘み部４を台所用水切り袋の内面側で摘んで口部絞り用の糸３を引っ張って、図５に示すように台所用水切り袋の上端口部２を絞った状態とすることにより、上端口部２が閉じられて水切り袋からごみが零れ出ることがない。
【００１２】
次に、図６に示す第２の実施の形態について説明すると、この第２の実施の形態における台所用水切り袋は針飛ばし部による摘み部４を１箇所形成し、この摘み部４に摘み片７を取り付けてあり、台所用水切り袋の上端口部２を絞るとき、摘み片７を摘んで絞り易くしてある。
【００１３】
【発明の効果】
以上のように本発明によれば、水切り袋の上端口部近傍において、周方向に口部絞り用の糸を少なくとも２コース連続状態で挿入してあり、水切り袋の内面側で前記挿入された糸の各コースの同位置において針飛ばし部を設けて摘み部としてあり、この摘み部を台所用水切り袋の内面側で摘んで口部絞り用の糸を引っ張ることにより口部絞り用の糸が抜けることなく台所用水切り袋の上端口部を確実に絞ることができる。
【図面の簡単な説明】
【図１】本発明の第１の実施の形態における台所用水切り袋の外側から見た斜視図である。
【図２】同台所用水切り袋の上端口部を内面側から見た要部拡大斜視図である。
【図３】同台所用水切り袋を台所のコーナーに置かれるごみ入れにセットした状態を示す斜視図である。
【図４】同台所用水切り袋を台所の排水口に設けられたごみ入れにセットした状態を示す斜視図である。
【図５】同台所用水切り袋の上端口部を絞った状態を示す斜視図である。
【図６】本発明の第２の実施の形態における台所用水切り袋の上端口部を内面側から見た要部拡大斜視図である。
【符号の説明】
１    水切り袋本体部
２    上端口部
３    口部絞り用の糸
４    摘み部
５    ごみ入れ
６    ごみ入れ
７    摘み片
【図１】
2004338914.tif 000003
【図２】
2004338914.tif 000004
【図３】
2004338914.tif 000005
【図４】
2004338914.tif 000006
【図５】
2004338914.tif 000007
【図６】
2004338914.tif 000008
(57)【要約】【課題】本発明は火バサミが長い程、先端部が捩じれて変形した固形物等は掴み難い為、手加減したり、やり直したりした。又、短い火バサミを使用する為、腰を曲げねばならないなどの不都合が生じた。【解決手段】金属又は樹脂からなる、火バサミの柄の断面形状が略半円形の両端と同一寸法の間隙を有する２本の板状、又は棒状の材を平行に配し、２本の材の両端を板状、又は棒状の材にて閉塞し、略長円形を形成し、一方の閉塞部を火バサミの柄部の下部の任意の位置に固定する。これにより火バサミが如何に長くとも、火バサミを握った時、固定していない一方の火バサミの先端部が２本の平行なレール状の内を円滑に作動し、常に２本の先端部が合致し、捩じれないで物を挟んで掴むことが出来、腰も曲げずに作業が効率的かつ容易になる。【選択図】    図１
2004338078.tif 000002
【特許請求の範囲】
【請求項１】
金属又は樹脂からなる、火バサミの柄部の断面形状が略半円形の両端と同一寸法の間隙を有する２本の板状、又は棒状の材を平行に配し、２本の材の両端を略半円形の板状、又は棒状の材にて閉塞し、略長円形を形成し、一方の閉塞部を火バサミの柄部の下部の任意の位置に固定する。
【発明の詳細な説明】
【０００１】
【発明の属する技術分野】
本発明は、金属又は樹脂からなる火バサミの捩じれ防止工具に関する。
【０００２】
【従来の技術】
火バサミで、変形した固形物等を挟んで掴む時、長い火バサミ程、先端部が捩じれて物を掴むことが容易に出来ず。掴み方を手加減したり、やり直したりしていた。又、火バサミが短い為、腰を曲げて作業をしていた。
【０００３】
【発明が解決しようとする課題】
火バサミで挟んで掴む時、長い火バサミ程、手で加減したり、やり直したり、腰を曲げての作業の為、作業効率の低下の欠点があった。
【０００４】
【課題を解決するための手段】
本発明は、金属又は樹脂からなる、火バサミの柄部の断面形状が略半円形の両端と同一寸法の間隙を有する２本の板状、又は棒状の材を平行に配し、２本の材の両端を略半円形の板状、又は棒状の材にて閉塞し、略長円形を形成し、一方の閉塞部を火バサミの柄部の下部の任意の位置に固定するという構成を具備することで、これにより上記課題を解決するものである。
【０００５】
【実施例】
図１、に示すように、金属又は樹脂からなる、火バサミの柄部の断面形状が略半円形の両端と同一寸法の間隙を有する２本の板状、又は棒状の材１を平行に配し、２本の材１，１の両端を略半円形の板状、又は棒状の材２，２にて閉塞し、略長円形を形成する。次に図２に示すように板状、又は棒状の材２、を火バサミ３、の一方の柄部５の下部の固定箇所６に配す。図３に示すように、掴み部４，４を押圧して、柄部５，５を相互に近づけることにより、固定していない一方の火バサミの柄部５が２本の平行なレール状１，１の内を円滑に作動し、常に支持部７，７が合致する。
【０００６】
【発明の効果】
本発明は、長い火バサミでも、固形物を挟んで掴む時、先端部が捩じれないで、物体を掴むことが出来る、又、火バサミが長い為、腰を曲げずに作業が可能な為、効率的かつ容易になる。
【図面の簡単な説明】
【図１】本発明に係る、火バサミの捩じれ防止工具の斜視図である。
【図２】図３のＡ−Ａ断面図である。
【図３】本発明を火バサミに装着した斜視図である。
【符号の説明】
１  ２本の平行な板、若しくは棒
２  略半円形の板、若しくは棒
３  火バサミ
４  掴み部
５  柄部
６  固定箇所
７  支持部
【図１】
2004338078.tif 000003
【図２】
2004338078.tif 000004
【図３】
2004338078.tif 000005
【手続補正書】
【提出日】平成15年7月15日(2003.7.15)
【手続補正１】
【補正対象書類名】明細書
【補正対象項目名】請求項１
【補正方法】変更
【補正の内容】
【請求項１】
金属又は樹脂からなる、火バサミの断面形状が略半円形の両端と同一寸法の間隙を有する２本の板状、又は棒状の材を平行に配し、２本の材の両端を略半円形の板状、又は棒状の材にて閉塞し、略長円形を形成し、一方の閉塞部を火バサミの任意の位置に固定する。
(57)【要約】      （修正有）【課題】ロータリージョイント本体部の小型化と、小型化することでロボット生じる負荷の軽減を図る。【解決手段】流体ポート９と連通し、本体中心より異なった距離に配設した軸方向に延びた複数の流体通路７に、固定体と回転体との間に軸方向に一つ以上並べて形成し、且つツール取付フランジ５方向又は取付フランジ４方向に近づくに従い径方向に拡大させた環状通路６を連通させる。【選択図】図１
2004338053.tif 000002
【特許請求の範囲】
【請求項１】
固定体と該固定体に回転可能に支持された回転体より構成され、前記固定体及び回転体間で流体の授受を行うロータリージョイントにおいて、固定体と回転体との間に軸方向に並んで形成され且つ、径方向に延びる一つ以上の環状通路より構成した流体の授受を行うための環状通路を、ツール取付フランジ方向又は取付フランジ方向に近づくに従い径方向に拡大させて配設したことを特徴とするロータリージョイント。
【発明の詳細な説明】
【発明の属する分野】
本発明は、ロボットの先端部等に配設されるロータリージョイントの固定体と回転体との間で流体の授受を行うための流体通路に関するものである。
【従来の技術】
ロータリージョイントの固定体と回転体の外摺面の同一円周上に設けた複数の流体ポートを連通する方法には、図３に示すように、回転体に本体中心より同一円周上で軸方向に設けられた流体通路と、固定体に本体中心より同一円周上で軸方向に設けた流体通路と、固定体と回転体の間に両側をシール部材によってシールされ軸方向に並べて形成した複数本の環状通路と、前記の環状通路と固定体の軸方向に設けた流体通路を連通するための軸方向に直交するように設けた一方を止め栓によって塞いだ流体通路によって従来は固定体と回転体に設けられた流体ポートの連通を行っていた。前記従来方式の場合、図３に示すように、固定体に軸方向に設けた流体通路と環状通路を連通するために軸方向に直交する向きに設けた流体通路の一方を止め栓によって塞がなければならない。該止め栓は軸方向の流体通路に干渉しないスペースを必要とするため本体外径が大きくなってしまい、それに伴い本体重量が重くなっていた。
本体重量が重いとロボット等の先端部に装着し、可動した際にロボット生じる負荷が大きくなるため、場合によってはロボットを大型のものに変更しなければならず、設備費の増加が問題となっていた。
【特許文献１】特開平５−１３８５８０号公報  図１
【発明が解決しようとする課題】
本発明は、ロータリージョイント本体部の小型化と、小型化することでロボット生じる負荷の軽減を図ることを目的とする。
【課題を解決するための手段】
本発明は、前記した課題を解決するための手段として、流体ポートと連通し本体中心より異なった距離に配設した軸方向に延びた複数の流体通路に、固定体と回転体との間に軸方向に一つ以上並んで形成し、且つツール取付フランジ方向又は取付フランジ方向に近づくに従い径方向に拡大させた環状通路を連通させることで、軸方向に形成した流体通路と環状通路を連通する為の流体通路を設ける事無く固定体と回転体に設けた流体ポートを連通することを可能とした。
【発明の実施の形態】
以下、本発明の実施の形態を図面に基づいて説明する。
図１に示すように本実施例のロータリージョイントは、ロボット先端部に取り付ける固定側ボディ１と、ツールの取り付けを行うツール取付フランジ５が固定された回転側ボディ２からなり、両ボディ間には流体を供給する為の流体通路７と電気の供給を行う電力供給部が形成されている。
固定側ボディ１と回転側ボディ２は、中空形状をした大径円筒部及び小径円筒部より構成される。回転ボディ２は、固定側ボディ１の中空部に挿入され、小径部端面にＲＪ取付フランジ４がネジ止めされ固定側ボディ１内において回転動作自在に保持される。
固定側ボディ１大径部の外周面には流体ポート９が設けられており、該流体ポート９は、本体中心より異なった距離で軸方向に設けられた流体通路７と連通されている。  該流体通路７は、軸方向に並べて配設されたツール取付フランジ５方向に近づくに従い径方向に拡大させて設けられた環状通路６と回転側ボディ２に設けられた流体通路７に連通することによって固定側ボディ１に設けられた流体ポート９とツール取付フランジ５に設けられた流体ポート９を連通している。
固定側ボディ１の外周面には電極リング取付板Ａ１０が取り付けられ、電極リング取付板Ａ１０には複数の電極リングＡ１１が各電極リングＡ１１の間に電極リングスペーサー１３を配設した状態で取り付けられている。該電極リングＡ１１の外周面にはホルダー１８に保持された摺動子Ａ１２が当接した状態で配設されている。
摺動子Ａ１２を保持するホルダー１８は、回転動作自在に保持されている回転側ボディ２に固定された回転側カバー３に取り付けられることで回転側ボディ２と同様に電極リングＡ１１と回転動作を行う。
回転側カバー３には、前記ホルダー１８と電極リング取付板Ｂ１４が取り付けられ、該電極リング取付板Ｂ１４には電極リングＢ１５が取り付けられる。該電極リングＢ１５には、固定側ボディ１に取り付けられたアース摺動体ホルダー１７に保持された摺動子Ｂ１６が当設させた状態で配設されている。
【発明の効果】
以上説明したように、固定側ボディの本体中心より異なった距離に配設した軸方向に延びた複数の流体通路と、ツール取付フランジ方向又は取付フランジ方向に近づくに従い径方向に拡大させた環状通路を連通させたことによって、軸方向に形成した流体通路と環状通路を連通する為の流体通路及び該流体通路の一方を塞ぐ為の止め栓のスペースを設ける必要を無くしたことでロータリージョイントの本体径を小さくすることが出来た。
更に本体を小型化したことでロータリージョイント本体重量の軽減ができ、装着されたロボットに生じる負荷の軽減が可能となる。
【図面の簡単な説明】
【図１】本実施例の装置の断面図
【図２】本実施例の流体通路の連通状態を表す図
【図３】従来の流体通路の連通状態を示す図
【符号の説明】
１    固定側ボディ
２    回転側ボディ
３    回転側カバー
４    ＲＪ取付フランジ
５    ツール取付フランジ
６    環状通路
７    流体通路
８    シール部材
９    流体ポート
１０    電極リング取付板Ａ
１１    電極リングＡ
１２    摺動子Ａ
１３    電極リングスペーサー
１４    電極リング取付板Ｂ
１５    電極リングＢ
１６    摺動子Ｂ
１７    アース摺動ホルダー
１８    ホルダー
１９    止め栓
【図１】
2004338053.tif 000003
【図２】
2004338053.tif 000004
【図３】
2004338053.tif 000005
(57)【要約】【課題】インスタント食品では味あわれない多彩な料理をアウトドアにおいて、又、独身者等が簡易に楽しむことができる携帯用調理器具を提供すること。【解決手段】鍋の内底面中央部を立上らせて鍋の外底面に形成される凹所に固形燃料を収納し、鍋を載せる五徳の枠上面に鍋の外底面との間に空気路を保持する凹凸部を設け、固形燃料を載せる脚付き耐熱タイルを、天地反転した状態の五徳の枠下面にわたり横架すると共に、五徳の脚部間に鍋を嵌合してコンパクトに収納したのであり、又、鍋の底部をメッシュ状に形成して焼肉や焼き魚等のバーベキュー料理を調理できるようにした。【選択図】  図１
2004166732.tif 000002
【特許請求の範囲】
【請求項１】
鍋の内底面中央部を立上らせて鍋の外底面に形成される凹所に固形燃料を収納し、鍋を載せる五徳の枠上面に鍋の外底面との間に空気路を保持する凹凸部を設け、固形燃料を載せる脚付き耐熱タイルを、天地反転した状態の五徳の枠下面にわたり横架すると共に、五徳の脚部間に鍋を嵌合してコンパクトに収納することを特徴とする携帯用調理器具。
【請求項２】
鍋の底面に耐熱性に富むメッシュ網を張設した請求項１記載の携帯用調理器具。
【発明の詳細な説明】
【０００１】
【発明の属する技術分野】
本発明は携帯用調理器具に関し、アルミニウム箔等の不燃材料からなる鍋と五徳、耐熱性タイル及び固形燃料をセットとしてコンパクトに収納し、鍋料理や焼肉料理等を手軽に食することができるアウトドア用又は独身者或は単身赴任者用のものである。
【０００２】
【従来の技術】
１．アルミニウム箔等の不燃材料で作られている鍋内に固形燃料をセットしているもの（例えば特許文献１参照）
２．アルミニウム箔等の不燃材料で作られている鍋と、固形燃料をセットする基台とを箱体に収納しているもの（例えば実用新案文献１参照）
３．  鍋を重ねて入れる釜の上げ底に設けた凹みに固形燃料を収容するもの（例えば実用新案文献２参照）
４．  鍋を載せるコンロ内に固形燃料をセットするもの（例えば実用新案文献３参照）
【０００３】
【特許文献１】
特開２０００ー１４５３４号公報（請求項１、図１）
【０００４】
【実用新案文献１】
登録実用新案第３０１７３４８公報（請求項１、図１）
【０００５】
【実用新案文献２】
実開昭６１ー１５１６２７号公報（実用新案登録請求の範囲、第１図）
【０００６】
【実用新案文献３】
実開昭６１ー１７８３７３号公報（実用新案登録請求の範囲、第１図）
【０００７】
【発明が解決しようとする課題】
１．  特許文献１に係る発明は、鍋本体内に燃焼容器を設け、更に燃焼容器内に内鍋本体を設けているが、本願発明のように鍋と五徳、耐熱性タイル及び固形燃料をセットとしてコンパクトに収納していない。
２．  実用新案文献１に係る考案は、携行食用簡易セットであり、主食品収納袋、複食品収納袋、補助具収納袋、水収納袋、燃料収納袋及び着火具収納袋を全て収納しているため、非常に嵩高い。
３．  実用新案文献２に係る考案は、釜の上げ底に設けた凹みに固形燃料を入れ鍋を近い距離から加熱するのであるが、固形燃料が凹みに殆ど密閉されており、釜に設けられている通風口からの空気の流入が不足し不完全燃焼する恐れがある。
４．  実用新案文献３に係る考案は、鍋を載せるコンロが小さく不安定であり、又、コンロや燃料を鍋内にどのようにして収納するのか不明である。
【０００８】
【課題を解決するための手段】
鍋の内底面中央部を立上らせて鍋の外底面に形成される凹所に固形燃料を収納し、鍋を載せる五徳の枠上面に鍋の外底面との間に空気路を保持する凹凸部を設け、固形燃料を載せる脚付き耐熱タイルを、天地反転した状態の五徳の枠下面にわたり横架すると共に、五徳の脚部間に鍋を嵌合してコンパクトに収納したのであり、又、鍋の底部をメッシュ状に形成して焼肉や焼き魚等のバーベキュー料理を調理できるようにした、インスタント食品では味あわれない多彩な料理をアウトドアにおいて、又、独身者等が簡易に楽しむことができる携帯用調理器具を提供することを目的とする。
【０００９】
【発明の実施の形態】
図１は実施状態を示す正面図、図２は携行時の状態を示す中央部縦断面図、図４は分解斜視図である。
【００１０】
アルミニウム箔等の不燃性材で作られている鍋１の内底面を立上らせて外底面に凹所２を形成する。鍋１の側壁及び底部は強度を増すため凹凸群が設けられているのは公知であるが、底部の凹凸群３はアルミニウム箔等の不燃性材で作られている五徳４の枠上面形成されいてる鋸歯状の突起群４ａと接して形成される多数の隙間を燃焼効率を高めると共に五徳４が過熱しないようにするための空気流通路５とする。
【００１１】
固形燃料５は前記凹所２に嵌合でき且つ、火力を強くするための大きさであり、直径５８ミリメートル前後、厚みが８ミリメートル前後のものが好ましい。五徳４の下方に固形燃料５を載せる耐熱性に富むタイル板６を設置し、タイル板６の下面に床面との間に隙間を設け断熱効果を図るためのゴム材製の脚７を設ける。タイル板６には花柄等の美麗な図柄を付し、花台や植木鉢の置台として爾後活用できる。又、固形燃料５と鍋１の外底面との間隔は４０ミリメートル前後に設定すると燃焼効率が良い。
【００１２】
コンパクトに収納して携帯に便ならしめるため、五徳４を天地反転させ、その枠下面にわたりタイル板６を反転して載せることができるようタイル板６の大きさを決め、タイル板６の裏面に載せた固形燃料５が凹所２にガタ付くことなく嵌合できるようにし、更に、五徳の脚の高さ及び拡開度が鍋１の側壁高さ及び拡縮度（テーパー面の傾斜角）を考慮したものに決める。即ち、五徳４の脚に鍋１を若干の隙間が生ずる程度に且つ、鍋１の鍔縁１ａに五徳４の脚端が接触しないようにすることが肝要である。
【００１３】
図３は鍋の他の実施形態を示す斜視図であり、その底部を枠状に形成すると共に、その枠間にわたり耐熱性のメッシュ網８ａを張設した鍋８であって、ジンギスカン鍋料理や焼肉、焼魚料理に適するものである。
【００１４】
【発明の効果】
本発明は、このようにしてなるから、新鮮な食材をアウトドアで充分な火力で調理できるため、インスタント食品にはない賞味をた楽しむことができ、又、嵩低くコンパクトにセットできるため携行に便利である。
【図面の簡単な説明】
【図１】本発明の実施形態を示す正面図。
【図２】コンパクトに組み込んだ携行時の状態を示す中央部縦断面図。
【図３】本発明に係る鍋の他の実施形態を示す斜視図。
【図４】本発明の分解斜視図。
【符号の説明】
１、  ８  鍋    ２  凹所    ３    鍋の凹凸群    ４  五徳
４ａ    五徳の凹凸群  ５    固形燃料    ６  タイル板
７  タイル板の脚
【図１】
2004166732.tif 000003
【図２】
2004166732.tif 000004
【図３】
2004166732.tif 000005
【図４】
2004166732.tif 000006
(57)【要約】      （修正有）【課題】経験や勘に頼って不安定な培養生産していた有用微生物の培養増殖を、最適な培養増殖条件を機械的にコントロール制御することが出来る機械装置によって、難しい培養増殖技術がなくても、品質の安定した培養液を大量に生産提供する【解決手段】ステンレス製のドラム缶４に、１〜１０の各機械器具装置を取り付け、制御盤２に、ギアモートル１及びドラム電熱ヒーター３と温度調節計を電線コイルでつなぎ、ドラム缶容器の中に種菌と水１８０ｌを入れた後、所定の培養条件の設定をセットすれば、後は自動的に培養できる。【選択図】図１
2004166679.tif 000002
【特許請求の範囲】
【請求項１】
ステンレス製のドラム缶に、ヒーター、モーター撹拌羽根、減圧弁、温度調節計、電熱保温ヒーター、制御盤、を一体的に組み込んで有用な有用微生物ＥＭ活性化液を大量安定的に培養する装置。
【発明の詳細な説明】
【０００１】
【発明の属する技術分野】
この発明は、培養増殖の困難な少量の有用な微生物であるＥＭ菌を、大量かつ安定的に培養生産する機械装置に関するものである。
【０００２】
【従来の技術】
従来は、バケツなどの容器を使って、経験と勘を頼りに培養をしていた。従って、微生物の品質にバラツキが多く、培養量にも限界があった。
【０００３】
【発明が解決しようとする課題】
これは次のような欠点があった。
（１）気温や天候、空気中の雑菌など自然環境の影響を受けるので培養液の品質が一定せず、培養する量にも限界があった。
（２）肉眼では見えない微生物菌の品質保持は、経験と勘に頼る他なかった。
本発明は、これらの欠点を除くためになされたものである。
【０００４】
【課題を解決するための手段】
有用微生物ＥＭ菌の繁殖培養の条件を一定に保つ装置構成を一体的に組み込むことによって、経験が乏しくても培養に最適な環境条件を自動的にセットできる。
本発明は、図面にあるように、請求項１の構成からなる活性液を安定して容易に培養する装置である。
【０００５】
【発明の実施の形態】
培養装置の操作は、先ず培養タンク４に水１８０ｌを正確に入れ、制御盤２の水温自動温度調節のダイヤル数値を４０度に設定して加温する。
次に種菌１〜２ｌを投入し、水温を３５度に設定した後、タンクの蓋を閉め密閉する。培養に伴い発生するガスは減圧弁７で自動調節され、この状態で７日間、保温３撹拌１０すれば培養液１２が完成する。
【０００６】
【発明の効果】
有用微生物ＥＭ菌活性液を容易に大量生産することによって、野菜や果物への農業利用、或いは河川や湖沼への水質浄化に活性液を大量に使用することが可能となり、コストの軽減効果も図られる。
【図面の簡単な説明】
【図１】本発明の斜視図である。
【図２】本発明の断面図である。
【符号の説明】
１  ギアモートル
２  制御盤（モートル、温度）
３  ドラム電熱ヒーター
４  ステンレス製ドラム缶
５  保温被覆（グラスウール材）
６  温度調節・温度計
７  減圧弁
８  排水パイプ・バルブ
９  ギアシャフト
１０  撹拌プロペラ
１１  ドラム缶蓋
１２  培養液
【図１】
2004166679.tif 000003
【図２】
2004166679.tif 000004
(57)【要約】【課題】口臭を除去する口腔または歯科衛生用食品を提供する。【解決手段】アムホテリシンＢを含有する口腔または歯科衛生用食品。【選択図】なし【特許請求の範囲】
【請求項１】
アムホテリシンＢを含有することを特徴とする口腔または歯科衛生用食品。
【請求項２】
口腔または歯科衛生用食品がチューインガムである請求項１記載の口腔または歯科衛生食品。
【発明の詳細な説明】
【０００１】
【発明の属する技術分野】
本発明は、口腔または歯科衛生用食品に関する。
【０００２】
【従来の技術】
従来代表的な口腔または歯科衛生用食品としてチューインガムが広く知られている。
チューインガム（以下「ガム」と言うことがある）は菓子の一種であるが、口中にゴム状物を残すという他の菓子には見られない特徴を有している。このチューインガムは１５〜１６世紀頃ヨーロッパからの移民がアメリカ大陸に渡り、インディアンからサポディラの樹脂を噛む習慣を受けつぎ、１９世紀末にアメリカで企業化されるようになった。
【０００３】
我が国には大正年間に輸入され、昭和初期に製造されていたが、戦前まではそれほど大きな需要なかった。しかしながら戦後特に最近の需要は急増し、今日では菓子類のなかでも大きな地位を占めるようになった。
その理由として、ガムは▲１▼唾液の分泌がよくなる▲２▼歯を丈夫にし口臭をとる▲３▼脳の働きをよくする▲４▼眠気を防止する▲５▼口寂しさを紛らわす等の効能が認められているためである。
【０００４】
そして近年これらの機能を特異的に高めたガム類が種々提案されている。しかしながら未だ満足し得るものはなかった。
【０００５】
【発明が解決しようとする課題】
そこで本発明者は、特に歯と歯ぐきを丈夫にし、口臭をとるガムを得るべく種々研究を重ねた結果本発明を完成するに至った。
【０００６】
【課題を解決するための手段】
すなわち、本発明は、アムホテリシンＢを含有する口腔または歯科衛生用食品に関する。
【０００７】
【発明の実施の形態】
次に本発明の口腔または歯科衛生用食品の一種であるガムを例にとって以下に説明する。
【０００８】
本発明におけるガムとしては、板ガム、風船ガム、糖衣ガムのいずれかの形態のものでもかまわない。
【０００９】
これらのガム類を製造するための原料としては、チクルガム、加工チクルベース、酢酸ビニル樹脂、ポリイソブチレン、エステルガム、マイクロクリスタリンワックス、蜜ろう、カルナバロウ等のワックス、アセチルリシノール酸メチル、ポリブテン等の合成可塑剤、微粉末の炭酸カルシウム、タルク、酸化チタン、ようど、他殺菌作用を有するもの等の充填剤からなるガムベースが用いられる。
またこれらのガムベースの外に砂糖、ブドウ糖、澱粉糖等の糖類、香料、界面活性剤、酸化防止剤、人工甘味料、食用色素、湿潤剤、ビタミン類等をそれぞれの使用目的に応じて使用する。
【００１０】
次に本発明の口腔または歯科衛生用食品に添加されるアムホテリシンＢは、（１Ｒ，３Ｓ，５Ｒ，６Ｒ，９Ｒ，１１Ｒ，１５Ｓ，１６Ｒ，１７Ｒ，１８Ｓ，１９Ｅ，２１Ｅ，２３Ｅ，２５Ｅ，２７Ｅ，２９Ｅ，３１Ｅ，３３Ｒ，３５Ｓ，３６Ｒ，３７Ｓ）−３３−（３−アミノ−３，６−ジデオキシン−β−Ｄ−マンノフィラノシロキシ）−１，３，５，６，９，１１，１７，３７−オクタヒドロキシ−１５，１６，１８−トリメチル−１３−オキソ−１４，３９−ディオキシアビシクロ〔３３，３，１〕ノナトリアコンタ−１９，２１，２３，２５，２７，２９，３１−ヘプタエン−３６−カルボキシルアシッド（（１Ｒ，３Ｓ，５Ｒ，６Ｒ，９Ｒ，１１Ｒ，１５Ｓ，１６Ｒ，１７Ｒ，１８Ｓ，１９Ｅ，２１Ｅ，２３Ｅ，２５Ｅ，２７Ｅ，２９Ｅ，３１Ｅ，３３Ｒ，３５Ｓ，３６Ｒ，３７Ｓ）−３３−（３−ａｍｉｎｏ−３，６−ｄｉｄｅｏｘｙ−β−Ｄ−ｍａｎｎｏｐｙｒａｎｏｓｙｌｏｘｙ）−１，３，５，６，９，１１，１７，３７−ｏｃｔａｈｙｄｒｏｘｙ−１５，１６，１８−ｔｒｉｍｅｔｈｙｌ−１３−ｏｘｏ−１４，３９−ｄｉｏｘａｂｉｃｙｃｌｏ〔３３，３，１〕ｎｏｎａｔｒｉａｃｏｎｔａ−１９，２１，２３，２５，２７，２９，３１−ｈｅｐｔａｅｎｅ−３６−ｃａｒｂｏｘｙｌｉｃ  ａｃｉｄ）と称される化合物である。
【００１１】
本発明の口腔または歯科衛生用食品は、食品の種類にもよるが一般的にこのアムホテリシンＢを０．１〜３重量％、好ましくは０．５〜１重量％含有させることが好ましい。例えばガムの場合一枚または１個当り５０〜１００ｍｇ添加することが好ましい。
【００１２】
本発明の口腔または歯科衛生用食品としてはガムの外、粉末、ペースト状の歯みがき、遅延溶解性のトローチ、飴玉、シナモンスティック等の食品が挙げられる。
【００１３】
【実施例】
次に本発明をさらに具体的に説明するためにガムの製造例を示す。
酢酸ビニル樹脂２０重量部、ＢＰＢＧ３重量部、ポリイソブチレン３重量部、ワックス２重量部、炭酸カルシウム２重量部をニーダーに投入し、１１０〜１３０℃で完全に溶解混合するまで１〜５時間充分に混捏する。
練成されたガムベースをミキサーに移し、粉糖４５重量部、ぶどう糖２４重量部、香料１重量部およびアムホテリシンＢ０．５重量部を加えて３０分程度混捏してガムに仕上げる（仕上り温度４０〜６０℃）。
得られたガムをエクストルーダーを用いて帯状に押し出し、付着防止のために粉糖をまぶしながら圧延ロールを通して、規定の厚さのシートに圧延する。これをクーリングトンネルに通して冷却した後、カッターロールで適度な大きさにカットして、熟成室（温度２０〜２５℃，温度４５〜５５％）に入れて保持し、さらに物性を安定させるために１０〜２０時間保管した後包装する。
【００１４】
【発明の効果】
本発明の口腔または歯科衛生用食品を食すると長時間にわたり口臭を防止することができる。
(57)【要約】      （修正有）【課題】アイスコロッケの製造方法を提供する。【解決手段】アイスクリームをカステラ、クレープで包み、卵で被覆し、パン粉をまぶし、マイナス１５℃から３５℃で冷凍したものを１５０℃から１７０℃でフライする。【選択図】なし【特許請求の範囲】
【請求項１】
アイスクリームを洋菓子の原料で包み、煮油でフライしてもアイスクリームが全く解けない、アイスコロッケの製造方法。
【請求項２】
多種類のアイスクリームを、カステラ、クレープで包む事により煮油でフライしても解けない、アイスコロッケの製造方法。
【請求項３】
アイスクリームを、カステラ、クレープで包みさらに、たまご、パン粉をまぶして、煮油でフライしても解けない、アイスコロッケの製造方法。
【発明の詳細な説明】
【０００１】
【発明の属する技術の分野】
本発明は菓子の製造に関し特にアイスクリームが中に入った、コロッケ、アイスコロッケの製造方法に関する。
【０００２】
【従来の技術】
氷菓子の中でもアイスクリームの、人気は一番高く、近年は季節を問わず春夏秋冬好む人が多く、人気商品です。しかし気温が高いと解けるのが早いのが氷菓子の欠点といえる。従来は和風アイスクリームのてんぷら等があるが、食味に欠けて解けやすい欠点がある。
本発明のアイスコロッケは洋風のアイスクリームケーキでカステラ、クレープ、卵、パン粉をつける事により煮油でフライしても熱と油を完全に遮断できる。まったく従来なかった技術である。
【０００３】
【発明が解決しようとする課題】
氷菓子は溶けてしまうと本来のおいしさがなくなるものであり、それが欠点といえる。本発明は幼い子供でも衣服等を、汚したりせずに食べ終わることができる。
【０００４】
【課題を解決するための手段】
上記の課題は本発明により、アイスクリームをカステラ、クレープ、パン粉、パン粉で包む事によりに油でフライしても解けにくい、アイスコロッケの製造方法で解決される。
【０００５】
【発明の実施の形態】
本発明のアイスコロッケはカステラ、クレープ、卵、パン粉で包む事により煮油でも、アイスクリームが溶ける時間を遅らせるようにしたアイスクリーム菓子である。
また、油でフライする事によりサクサクとした従来のアイスクリームでは考えられない食感がありおいしく提供できる。
【０００６】
【実施例】
本発明のアイスコロッケはアイスクリームをカステラ、クレープ、で包みさらに卵をつけてパン粉をまぶして、マイナス１５度から３５度で冷凍したものを１５０度から１７０度の煮油でフライする事により、サクサクとした食感になり従来の技術では考えつかなかった、アイスクリームが中に入ったアイスコロッケの製造方法。
【０００７】
【発明の効果】
本発明のアイスコロッケは、卵、パン粉をまぶして、煮油でフライする事により、外見上は惣菜のコロッケそっくりだが、中にはアイスクリームが入っているので中はつめたく、外はさくさく、あつあつ、の温度差のある食感を楽しむことができる。消費者は、見ても、食べても、驚きのデザートとして会話の弾む、アイスコロッケ。
【０００８】
本発明のアイスコロッケはアイスクリーム使用のデザートですがアイスクリームの製造は公知であるので詳述しない。
【図面の簡単な説明】
【図１】本実施例の断面を示した立体図である
【符号の説明】
１．アイスクリーム
２．カステラ
３．クレープ
４．卵
５．パン粉
【図１】
2004166675.tif 000002